(57)【要約】【課題】  いかなるサイズ、重量の壁パネルでも、容易かつ省力的に施工できるとともに、作業効率の向上により著しい工期短縮、工数削減が図れ、かつ、作業の安全性も確保できるようにする。【解決手段】  フォークリフトＢのフォーク爪１３，１３に挿脱自在な左右一対の筒部材１，１の前端部を互いに固定連結して枠状に構成されたフォークリフトアタッチメント３の前端部に、壁パネルを載置支持可能で、かつ、フォークリフトＢの前進及びフォーク爪１３，１３の上昇により壁パネルを垂直に起立させることが可能な弾性ゴム製自由回転ローラ４を取付けている。【選択図】      図２
2005132533.tif 000002
【特許請求の範囲】
【請求項１】
フォークリフトのフォーク爪に対して挿脱自在な左右一対の筒部材を少なくともそれら筒部材の前端部で互いに固定連結して枠状に構成されてなるフォークリフトアタッチメントの前端部には、壁パネルを載置支持可能で、かつ、パネル載置支持状態でのフォークリフトの前進及びフォーク爪の上昇に伴い壁パネル表面を摺接移動しながら壁パネルを垂直に起立させることが可能な自由回転ローラが取付けられていることを特徴とする壁パネル施工治具。
【請求項２】
前記自由回転ローラが、弾性ゴム材料から構成されている請求項１に記載の壁パネル施工治具。
【発明の詳細な説明】
【技術分野】
【０００１】
本発明は、例えば大型冷凍庫や冷凍倉庫等の壁面を構成するサンドイッチ断熱パネル等の複数の壁パネルを施工する場合に用いられる壁パネル施工治具に関するものである。
【背景技術】
【０００２】
壁パネルのうちでも、大型冷凍庫や冷凍倉庫等の壁面を構成するサンドイッチ断熱パネルは、その厚み、サイズの大型化、重量の増大に伴い施工の難易度が増す傾向にある。このような大型、大重量の壁パネルをコンクリート等の施工面に沿うように垂直に立て起こし、その施工面に固定させるにあたって、従来では、複数の作業者が協力して壁パネルを支持し垂直に立て起こす、いわゆる、人力施工が一般的に行われていた。しかし、この人力施工の場合は、作業効率が非常に悪いだけでなく、壁パネルのサイズ、重量により自ずと施工限界がある。
【０００３】
また、人力による施工限界を越えるようなサイズ、重量の壁パネルについては、施工現場にウィンチやクレーン等の揚重機械を仮設的に据え付け、この揚重機械を用いて順次壁パネルを施工する施工方法も従来より一部で実施されている。
【発明の開示】
【発明が解決しようとする課題】
【０００４】
しかし、ウィンチ等の仮設揚重機械を用いる施工方法の場合は、施工面が広大であるとき、揚重機械の据え付け位置を順次移動させるといった面倒な移設作業が必要で、その機械移動に大変な手数及び時間を要するために、人力施工にも増して作業効率が悪くなり、工期が長くかかり、それだけ工費が増大するという問題があった。
【０００５】
本発明は上記実情に鑑みてなされたもので、いかなるサイズ、重量の壁パネルであっても、容易かつ省力的に施工できるとともに、作業効率の向上により著しい工期短縮、工数削減が図れ、かつ、作業の安全性も確保できる壁パネル施工治具を提供することを目的としている。
【課題を解決するための手段】
【０００６】
上記目的を達成するために、本発明に係る壁パネル施工治具は、フォークリフトのフォーク爪に対して挿脱自在な左右一対の筒部材を少なくともそれら筒部材の前端部で互いに固定連結して枠状に構成されてなるフォークリフトアタッチメントの前端部には、壁パネルを載置支持可能で、かつ、パネル載置支持状態でのフォークリフトの前進及びフォーク爪の上昇に伴い壁パネル表面を摺接移動しながら壁パネルを垂直に起立させることが可能な自由回転ローラが取付けられていることを特徴とするものである。
【発明の効果】
【０００７】
上記のような特徴を有する本発明によれば、フォークリフトのフォーク爪に左右一対の筒部材を挿入することで、フォークリフトアタッチメントをフォークリフトにセットし、この状態で、壁パネルをその下端部が施工面の下端近くに接地し、かつ、パネル表面の一部が自由回転ローラに載置支持されるような緩傾斜姿勢でアタッチメントに載せ付ける。この状態で、フォークリフトを施工面側に向け前進させるとともに、フォーク爪を上昇させて前記ローラをパネル表面に沿って摺接移動させることによって、壁パネルがその下端接地部を支点として回動されて垂直に起立され、その起立状態を保ったままで壁パネルを施工面に固定することができる。このようにフォークリフトの有する動力を利用して壁パネルを垂直に立て起こすことができるので、壁パネルのサイズや重量に拘らず、一人あるいは極く少数の作業者でもって壁パネルを容易かつ省力的、能率的に施工することができる。しかも、作業場所の移動が自由自在なフォークリフトの使用によって、例えばウィンチ等の仮設揚重機械を用いる場合のような面倒な移設作業が不要で、広大な施工面に対する壁パネルの施工時における作業効率を向上することができ、全体として著しい工期短縮
、工数削減、工費節減を達成でき、また、作業の安全性も確保することができるという効果を奏する。
【０００８】
特に、本発明に係る壁パネル施工治具において、請求項２に記載のように、フォークリフトアタッチメントの前端部に取付けられる自由回転ローラを弾性ゴム材料から構成することが望ましい。この場合は、パネルの立て起こし時に相互に摺接するローラとパネル表面との間の摩擦力を滑り及び引っ掛かりのない適切なものにして所定の立て起こし作用を確実に行うことができるとともに、パネル表面の擦過傷の発生も防止することができる。
【発明を実施するための最良の形態】
【０００９】
以下、本発明の実施の形態を図面にもとづいて説明する。
図１は本発明に係る壁パネル施工治具の側面図、図２はその要部の拡大斜視図であり、この壁パネル施工治具Ａは、車体本体１０の前部に垂直姿勢に固定支持されたマスト１１に枠体１２を昇降自在に支持させ、この昇降枠体１２の下端部から前方に向けて左右―対のフォーク爪１３，１３が水平に突設されているフォークリフトＢの前記左右一対のフォーク爪１３，１３に対して挿脱自在な左右―対の偏平な角筒部材１，１及びこれら一対の角筒部材１，１の前端部に亘って固定連結される固定軸部材２により略コの字形の枠状に構成されるフォークリフトアタッチメント３と、このフォークリフトアタッチメント３の前端部に位置する前記固定軸部材２に外嵌状態に取付けられた自由回転ローラ４とにより構成されている。
【００１０】
前記自由回転ローラ４は弾性ゴム材料から構成されており、この弾性ゴム製自由回転ローラ４は、その外周面が前記アタッチメント３の角筒部材１、１の表面よりも少し上方に突出する径に設定されているとともに、後述する壁パネルＰを載置支持した状態でのフォークリフトＢの前進及びフォーク爪１３，１３の上昇に伴いパネル表面を摺接移動しながら壁パネルＰを垂直に起立させることが可能な軸長に設定されている。
【００１１】
上記のような壁パネル施工治具Ａによる施工対象となる壁パネルＰとしては、図３に例示するように、鉄あるいはアルミ等の表裏一対の外装板５，５間に発泡ウレタン断熱層６を挟在させてなり、大型冷凍庫や冷凍倉庫等の壁面を断熱化するために多用されている大型のサンドイッチ断熱パネルを挙げることができるが、これ以外に、木製パネルや鋼製パネルなどの各種壁パネルのいずれを施工対象としてもよい。
【００１２】
次に、上記のように構成された壁パネル施工治具Ａを用いて、サンドイッチ断熱パネル等の壁パネルＰを施工する作業要領について説明する。
まず、図４に概略的に示すように、フォークリフトＢのフォーク爪１３，１３にアタッチメント３の左右一対の角筒部材１，１を挿入することで、アタッチメント３をフォークリフトＢにセットした上、枠体１２をマスト１１の下端部またはその近くにまで下降させてフォーク爪１３，１３の対地高さを低くし、この状態で、壁パネルＰをその下端部が施工面Ｃの下端近くに接地し、かつ、パネル表面の一部が弾性ゴム製自由回転ローラ４に載置支持されるような緩傾斜姿勢でアタッチメント３に載せ付ける。
【００１３】
このようなパネル載せ付け状態で、図５に概略的に示すように、フォークリフトＢを施工面Ｃ側に向け前進させるとともに、枠体１２、つまり、フォーク爪１３，１３をマスト１１に沿って上昇移動させて前記ローラ４をパネル表面に沿って摺接移動させることによって、壁パネルＰがその下端接地部を支点として回動されて垂直に起立される。そして、その起立状態を保ったままで、すなわち、前記ローラ４により壁パネルＰを施工面Ｃに押し付けたままで壁パネルＰを接着あるいは打ち付け等によって施工面に固定することにより施工面Ｃに壁パネルＰを所定どおりに施工する。
【００１４】
上述したようにフォークリフトＢの有する動力を利用して壁パネルＰを垂直に立て起こすことができるので、壁パネルＰが大型サイズであったり、大重量のものであったとしても、一人あるいは極く少数の作業者でもって壁パネルＰを容易かつ省力的、能率的に施工することが可能であり、また、作業場所の移動が自由自在なフォークリフトＢの使用によって、例えばウィンチ等の仮設揚重機械を用いる場合のような面倒な移設作業が不要で、広大な施工面に対する壁パネルの施工時における作業効率も向上して全体として著しい工期短縮、工数削減、工費節減を達成することができ、かつ、作業の安全性も確保することができる。
【００１５】
なお、上記実施の形態では、左右一対の角筒部材１，１をそれらの前端部においてのみ固定軸部材２で固定連結して略コの字形の枠状のフォークリフトアタッチメント３を構成したが、左右一対の角筒部材１，１を前後方向に―定間隔を隔てた複数箇所で固定連結してもよく、この場合は、フォークリフトアタッチメント３の強度を高めて一層大型かつ大重量の壁パネルの施工に利用することが可能である。
【００１６】
また、自由回転ローラ４としては、施工時に滑りがなくて所定の立て起こし作用を確実に行うことができるとともに、パネル表面に擦過傷を発生することがない弾性ゴム製のものが最も好ましいが、樹脂製ローラを用いてもよい。
【図面の簡単な説明】
【００１７】
【図１】本発明に係る壁パネル施工治具の側面図である。
【図２】図１の要部の拡大斜視図である。
【図３】施工対象となる壁パネルの一例を示す縦断面図である。
【図４】壁パネル施工作業要領の一つで、治具に壁パネルを載せ付けた状態を示す概略側面図である。
【図５】同上作業要領の一つで、治具により壁パネルが垂直に起立される途中の状態を示す概略側面図である。
【符号の説明】
【００１８】
１  角筒部材
２  固定軸部材
３  フォークリフトアタッチメント
４  弾性ゴム製自由回転ローラ
１３  フォーク爪
Ａ  壁パネル施工治具
Ｂ  フォークリフト
Ｃ  施工面
Ｐ  壁パネル
【図１】
2005132533.tif 000003
【図２】
2005132533.tif 000004
【図３】
2005132533.tif 000005
【図４】
2005132533.tif 000006
【図５】
2005132533.tif 000007